(57)【要約】  本発明では、移動通信システムにおけるマルチユーザチャネル品質の決定方法、ユーザ端末および基地局が提供されている。該方法は、各ユーザ端末が、該ユーザ端末を管轄する基地局から通知された第１フィードバックテンプレート、または自局で設定された第２フィードバックテンプレートに基づいて、ＭＵ  ＣＱＩを算出し、算出されたＭＵ  ＣＱＩを前記基地局にフィードバックする、ことを含み、ここで、前記第１フィードバックテンプレートまたは第２フィードバックテンプレートでは、複数の仮定干渉数ｋでのＭＵ  ＣＱＩの間のフィードバック割合が定義され、ｋは、０より大きくかつ該基地局のスケジューリング可能な最大ユーザ数より小さい整数である。本発明によれば、マルチユーザＭＩＭＯスケジューリングの正確性を向上させることができる。
2012144621.tif 000002
【特許請求の範囲】
【請求項１】
移動通信システムにおけるマルチユーザチャネル品質（ＭＵ  ＣＱＩ）の決定方法であって、
各ユーザ端末は、該ユーザ端末を管轄する基地局から通知された第１フィードバックテンプレート、または自局で設定された第２フィードバックテンプレートに基づいて、ＭＵ  ＣＱＩを算出し、算出されたＭＵ  ＣＱＩを前記基地局にフィードバックする、ことを含み、
ここで、前記第１フィードバックテンプレートまたは第２フィードバックテンプレートでは、複数の仮定干渉数ｋでのＭＵ  ＣＱＩの間のフィードバック割合が定義され、ｋは、０より大きくかつ該基地局のスケジューリング可能な最大ユーザ数より小さい整数である、
ことを特徴とする方法。
【請求項２】
前記各ユーザ端末が、該ユーザ端末を管轄する基地局から通知された第１フィードバックテンプレート、または自局で設定された第２フィードバックテンプレートに基づいて、ＭＵ  ＣＱＩを算出し、算出されたＭＵ  ＣＱＩを前記基地局にフィードバックすることは、
前記ユーザ端末が、前記第１フィードバックテンプレートまたは第２フィードバックテンプレートで定義された各仮定干渉数ｋでのＭＵ  ＣＱＩを算出し、前記フィードバック割合に基づいて、時間および／または周波数において、算出されたＭＵ  ＣＱＩを前記基地局に送信する、
ことを含むことを特徴とする請求項１に記載の方法。
【請求項３】
前記フィードバック割合に基づいて、時間および／または周波数において、算出されたＭＵ  ＣＱＩを送信することは、
Ｐ個の時間領域フィードバックサブフレームを１つの時間周期とし、前記フィードバック割合に基づいて、各仮定干渉数ｋでのＭＵ  ＣＱＩの占める時間領域フィードバックサブフレームの数を決定し、各時間周期において、相応の数の時間領域フィードバックサブフレームを使用して、該仮定干渉数ｋでのＭＵ  ＣＱＩを送信する、
ことを含むことを特徴とする請求項２に記載の方法。
【請求項４】
前記フィードバック割合に基づいて、時間および／または周波数において、算出されたＭＵ  ＣＱＩを送信することは、
前記移動通信システムの周波数帯域幅をＭ個の周波数領域フィードバックサブバンドに分け、前記フィードバック割合に基づいて、各仮定干渉数ｋでのＭＵ  ＣＱＩの占める周波数領域フィードバックサブバンドの数を決定し、相応の数の周波数領域フィードバックサブバンドを使用して、該仮定干渉数ｋでのＭＵ  ＣＱＩを送信する、
ことを含むことを特徴とする請求項２に記載の方法。
【請求項５】
前記フィードバック割合に基づいて、時間および／または周波数において、算出されたＭＵ  ＣＱＩを送信することは、
前記移動通信システムの周波数帯域幅をＭ個の周波数領域フィードバックサブバンドに分け、かつ、Ｐ個の時間領域フィードバックサブフレームを１つの時間周期とし、前記フィードバック割合に基づいて、各仮定干渉数ｋでのＭＵ  ＣＱＩの占める周波数領域フィードバックサブバンドと時間領域フィードバックサブフレームとのペアの数を決定し、相応の数の周波数領域フィードバックサブバンドと時間領域フィードバックサブフレームとのペアを使用して、該仮定干渉数ｋでのＭＵ  ＣＱＩを送信する、
ことを含むことを特徴とする請求項２に記載の方法。
【請求項６】
前記ユーザ端末は、自局で設定された第２フィードバックテンプレートに基づいて、ＭＵ  ＣＱＩを算出し、算出されたＭＵ  ＣＱＩを該基地局にフィードバックし、
前記基地局は、１つまたは複数のユーザ端末からフィードバックされたＭＵ  ＣＱＩに基づいて、マルチユーザマルチ入力マルチ出力スケジューリングを行って、各ユーザ端末に対して第１フィードバックテンプレートを選択する、
ことをさらに含むことを特徴とする請求項１に記載の方法。
【請求項７】
前記基地局で管轄される複数のユーザ端末は、同じの第２フィードバックテンプレートを使用する、
ことを特徴とする請求項６に記載の方法。
【請求項８】
各ユーザ端末は、ＭＵ  ＣＱＩをフィードバックする際の自局の現在の信号対干渉雑音比に基づいて、前記第２フィードバックテンプレートを選択し、信号対干渉雑音比が第１閾値より高い場合、選択された第２フィードバックテンプレートにおいて、仮定干渉数ｋが比較的大きいＭＵ  ＣＱＩのフィードバック割合が比較的大きく、信号対干渉雑音比が第１閾値より低い場合、選択された第２フィードバックテンプレートにおいて、仮定干渉数ｋが比較的小さいＭＵ  ＣＱＩのフィードバック割合が比較的大きい、
ことをさらに含むことを特徴とする請求項６に記載の方法。
【請求項９】
前記各ユーザ端末に対して第１フィードバックテンプレートを選択することは、
前記基地局が、予め設定された履歴時間窓で該ユーザ端末と同時にスケジューリングされたほかのユーザの数ｉを決定するとともに、各同時にスケジューリングされたほかのユーザの数ｉの該履歴時間窓での出現確率を決定し、前記出現確率に基づいて、前記第１フィードバックテンプレートを決定する、
ことを含むことを特徴とする請求項６に記載の方法。
【請求項１０】
前記各同時にスケジューリングされたほかのユーザの数ｉの該履歴時間窓での出現確率を決定することは、
該履歴時間窓内の各同時にスケジューリングされたほかのユーザの数ｉの出現回数を累計することで、該同時にスケジューリングされたほかのユーザの数ｉの前記履歴時間窓での出現確率を決定し、
あるいは、数式
【数１】
2012144621.tif 000017
に基づいて、時間領域スケジューリングサブフレームｎにおける、同時にスケジューリングされたほかのユーザの数ｉの重み付け割合
2012144621.tif 000018
を決定することで、該同時にスケジューリングされたほかのユーザの数ｉの前記履歴時間窓での出現確率を決定し、ここで、
2012144621.tif 000019
は、時間領域スケジューリングサブフレームｎ、周波数領域スケジューリングサブバンドｍにおけるスケジューリング結果であり、
2012144621.tif 000020
は、時間領域スケジューリングサブフレームｎにおけるスケジューリング結果の重み付け係数である、
ことを含むことを特徴とする請求項９に記載の方法。
【請求項１１】
前記
2012144621.tif 000021
であることを特徴とする請求項１０に記載の方法。
【請求項１２】
前記基地局が、１つまたは複数のユーザ端末からフィードバックされたＭＵ  ＣＱＩに基づいて、マルチユーザマルチ入力マルチ出力スケジューリングを行うことは、
基地局が、前記１つまたは複数のユーザ端末からフィードバックされたＭＵ  ＣＱＩに対して、時間周波数補間を行って、各時間領域スケジューリングサブフレーム、各周波数領域スケジューリングサブバンドにおける各仮定干渉数ｋでのＭＵ  ＣＱＩを獲得して、マルチユーザマルチ入力マルチ出力スケジューリングに用いる、
ことを含むことを特徴とする請求項６に記載の方法。
【請求項１３】
前記各ユーザ端末に対して第１フィードバックテンプレートを選択することは、
前記基地局が、スケジューリング可能な最大ユーザ数と、各ユーザ端末の信号対干渉雑音比および／またはチャネルの空間特性とに基づいて、相応のユーザ端末の第１フィードバックテンプレートを選択する、
ことを含むことを特徴とする請求項６に記載の方法。
【請求項１４】
前記ユーザ端末および／または基地局において、１つまたは複数のフィードバックテンプレートが含まれる集合を予め設定し、ここで、前記各フィードバックテンプレートそれぞれでは、複数の仮定干渉数ｋでのＭＵ  ＣＱＩの間の１種類のフィードバック割合が定義され、ｋは、０より大きくかつ基地局のスケジューリング可能な最大ユーザ数より小さい整数であり、
前記ユーザ端末および／または基地局は、前記フィードバックテンプレートの集合の中から、前記第１フィードバックテンプレートまたは第２フィードバックテンプレートを選択する、
ことをさらに含むことを特徴とする請求項１〜１３のいずれか１項に記載の方法。
【請求項１５】
前記各フィードバックテンプレートそれぞれでは、さらに、シングルユーザチャネル品質（ＳＵ  ＣＱＩ）と複数の仮定干渉数ｋでのＭＵ  ＣＱＩとの間の１種類のフィードバック割合が定義される、
ことを特徴とする請求項１４に記載の方法。
【請求項１６】
前記各フィードバックテンプレートそれぞれでは、さらに、複数の仮定干渉数ｋでのＭＵ  ＣＱＩの時間領域フィードバックサブフレームおよび／または周波数領域フィードバックサブバンドにおける１種類のフィードバック順序が定義される、
ことを特徴とする請求項１４に記載の方法。
【請求項１７】
ユーザ端末であって、
１つまたは複数のフィードバックテンプレートが含まれる集合を記憶し、ここで、前記各フィードバックテンプレートそれぞれでは、複数の仮定干渉数ｋでのマルチユーザチャネル品質（ＭＵ  ＣＱＩ）の間の１種類のフィードバック割合が定義され、ｋは、０より大きくかつ該ユーザ端末を管轄する基地局のスケジューリング可能な最大ユーザ数より小さい整数である記憶モジュールと、
前記フィードバックテンプレートの集合の中から、１つのフィードバックテンプレートを選択し、選択されたフィードバックテンプレートに基づいて、ＭＵ  ＣＱＩを算出し、算出されたＭＵ  ＣＱＩをフィードバックするＭＵ  ＣＱＩ決定モジュールと、
を含むことを特徴とするユーザ端末。
【請求項１８】
前記ＭＵ  ＣＱＩ決定モジュールは、選択されたフィードバックテンプレートで定義された各仮定干渉数ｋでのＭＵ  ＣＱＩを算出し、前記フィードバック割合に基づいて、時間および／または周波数において、算出されたＭＵ  ＣＱＩを、該ユーザ端末を管轄する基地局に送信する、
ことを特徴とする請求項１７に記載のユーザ端末。
【請求項１９】
前記ＭＵ  ＣＱＩ決定モジュールは、Ｐ個の時間領域フィードバックサブフレームを１つの時間周期とし、前記フィードバック割合に基づいて、各仮定干渉数ｋでのＭＵ  ＣＱＩの占める時間領域フィードバックサブフレームの数を決定し、各時間周期において、相応の数の時間領域フィードバックサブフレームを使用して、該仮定干渉数ｋでのＭＵ  ＣＱＩを送信する、
ことを特徴とする請求項１８に記載のユーザ端末。
【請求項２０】
前記ＭＵ  ＣＱＩ決定モジュールは、移動通信システムの周波数帯域幅をＭ個の周波数領域フィードバックサブバンドに分け、前記フィードバック割合に基づいて、各仮定干渉数ｋでのＭＵ  ＣＱＩの占める周波数領域フィードバックサブバンドの数を決定し、相応の数の周波数領域フィードバックサブバンドを使用して、該仮定干渉数ｋでのＭＵ  ＣＱＩを送信する、
ことを特徴とする請求項１８に記載のユーザ端末。
【請求項２１】
前記ＭＵ  ＣＱＩ決定モジュールは、移動通信システムの周波数帯域幅をＭ個の周波数領域フィードバックサブバンドに分け、かつ、Ｐ個の時間領域フィードバックサブフレームを１つの時間周期とし、前記フィードバック割合に基づいて、各仮定干渉数ｋでのＭＵ  ＣＱＩの占める周波数領域フィードバックサブバンドと時間領域フィードバックサブフレームとのペアの数を決定し、相応の数の周波数領域フィードバックサブバンドと時間領域フィードバックサブフレームとのペアを使用して、該仮定干渉数ｋでのＭＵ  ＣＱＩを送信する、
ことを特徴とする請求項１８に記載のユーザ端末。
【請求項２２】
前記各フィードバックテンプレートそれぞれでは、さらに、複数の仮定干渉数ｋでのＭＵ  ＣＱＩの時間領域フィードバックサブフレームおよび／または周波数領域フィードバックサブバンドにおける１種類のフィードバック順序が定義される、
ことを特徴とする請求項１７〜２１のいずれか１項に記載のユーザ端末。
【請求項２３】
前記ＭＵ  ＣＱＩ決定モジュールは、該ユーザ端末の信号対干渉雑音比または前記基地局の通知に基づいて、前記フィードバックテンプレートの集合の中から、１つのフィードバックテンプレートを選択し、選択されたフィードバックテンプレートに基づいて、ＭＵ  ＣＱＩを算出する、
ことを特徴とする請求項１７〜２１のいずれか１項に記載のユーザ端末。
【請求項２４】
基地局であって、
１つまたは複数のフィードバックテンプレートが含まれる集合を記憶し、ここで、前記各フィードバックテンプレートそれぞれでは、複数の仮定干渉数ｋでのマルチユーザチャネル品質（ＭＵ  ＣＱＩ）の間の１種類のフィードバック割合が定義され、ｋは、０より大きくかつ該基地局のスケジューリング可能な最大ユーザ数より小さい整数である記憶モジュールと、
前記フィードバックテンプレートの集合の中から、管轄される１つまたは複数のユーザ端末の第１フィードバックテンプレートを選択して、相応のユーザ端末に通知するフィードバックテンプレート決定モジュールと、
を含むことを特徴とする基地局。
【請求項２５】
前記フィードバックテンプレート決定モジュールは、前記１つまたは複数のユーザ端末からフィードバックされたＭＵ  ＣＱＩに基づいて、マルチユーザマルチ入力マルチ出力スケジューリングを行って、実際のスケジューリング結果に基づいて、各ユーザ端末の第１フィードバックテンプレートを選択する、
ことを特徴とする請求項２４に記載の基地局。
【請求項２６】
前記フィードバックテンプレート決定モジュールは、予め設定された履歴時間窓で各ユーザ端末と同時にスケジューリングされたほかのユーザの数ｉを決定するとともに、各ユーザ数ｉの該履歴時間窓での出現確率を決定し、前記出現確率に基づいて、前記第１フィードバックテンプレートを決定する、
ことを特徴とする請求項２５に記載の基地局。
【請求項２７】
前記フィードバックテンプレート決定モジュールは、スケジューリング可能な最大ユーザ数と、各ユーザ端末の信号対干渉雑音比および／またはチャネルの空間特性とに基づいて、相応のユーザ端末の第１フィードバックテンプレートを選択する、
ことを特徴とする請求項２４に記載の基地局。
【請求項２８】
前記各フィードバックテンプレートそれぞれでは、さらに、複数の仮定干渉数ｋでのＭＵ  ＣＱＩの時間領域フィードバックサブフレームおよび／または周波数領域フィードバックサブバンドにおける１種類のフィードバック順序が定義される、
ことを特徴とする請求項２４〜２７のいずれか１項に記載の基地局。
【発明の詳細な説明】
【技術分野】
【０００１】
本発明は、移動通信分野に関し、特に、マルチユーザチャネル品質の決定方法、ユーザ端末および基地局に関する。
【背景技術】
【０００２】
従来のＲｅｌ．８の下りマルチ入力マルチ出力（ＭＩＭＯ）システムにおいて、ユーザ端末（ＵＥ）は、シングルユーザＭＩＭＯと仮定される場合に選択されたプリコーディング行列インデックス（ＰＭＩ）と、算出されたチャネル品質指標（ＣＱＩ：ｃｈａｎｎｅｌ  ｑｕａｌｉｔｙ  ｉｎｄｉｃａｔｏｒ）とをフィードバックする。マルチユーザスケジューリングを行う際に、シングルユーザチャネル品質（ＳＵ  ＣＱＩ）では、同一の基地局（ｂａｓｅ  ｓｔａｔｉｏｎ）でスケジューリングされる複数のユーザ間の干渉が考慮されていないため、フィードバックされたＳＵ  ＣＱＩと、最終的にマルチユーザ伝送を行う時のＣＱＩとが、大きく相違する。従って、マルチユーザ干渉が考慮されたマルチユーザチャネル品質（ＭＵ  ＣＱＩ）のフィードバックを追加することは、マルチユーザＭＩＭＯスケジューリングの正確性を向上させるのに大きな助けとなる。説明すべきものとして、基地局の１つの具体的な実現をｅＮｏｄｅＢ（ｅＮＢ）と呼ぶことができる。
【発明の概要】
【発明が解決しようとする課題】
【０００３】
しかし、実際のシステムにおいて、ＵＥは、ｅＮＢのスケジューリング結果を予想できないため、マルチユーザ干渉が考慮されたＭＵ  ＣＱＩを正確に推定することができない。従って、従来技術におけるＭＵ  ＣＱＩ算出では、通常、干渉に対する若干の仮定が必要となる。【０００４】
例えば、Ｒ１−１０５８０１で提供されたＭＵ  ＣＱＩ算出方法では、マルチユーザＭＩＭＯ伝送時に、各ＵＥそれぞれのランクが１であり（即ち、各ＵＥそれぞれへ伝送されるデータの層数が１であり）、総層数またはデータストリーム数が４であると仮定する。このため、各ＵＥに対して選択された、ランクが１であるプリコーディングベクトルは、いずれも干渉としての３つの直交するプリコーディングベクトルがある。但し、この方法は、各ＵＥごとに終始３つの干渉があると仮定するため、比較的に悲観的なものである。【０００５】
また、例えば、Ｐａｎｔｅｃｈ会社により提案された方法では、ＵＥに全ての可能な仮定干渉数ｋでのＭＵ  ＣＱＩの平均値をフィードバックさせる。ここで、仮定干渉数は、０より大きくかつ基地局のスケジューリング可能な最大ユーザ数より小さい。例えば、基地局のスケジューリング可能な最大ユーザ数が４である場合、仮定干渉数の値は、１〜３のうちのいずれかであってよい。しかしながら、この平均値は、いかなる干渉仮定でのＭＵ  ＣＱＩとも相違する可能性が大きい。【０００６】
また、例えば、ＮＥＣ会社により提案された方法では、ｅＮＢが、ＭＵ  ＣＱＩを算出する際に使用される仮定干渉数を半静的に指定して、ＵＥに通知する。この方法では、ある程度の下りシグナリングオーバヘッドがかかり、かつ一定時間内で、ＵＥからのＭＵ  ＣＱＩフィードバックがただ１種類の干渉仮定に基づくしかできないため、スケジューリング結果の正確性にも影響する。【０００７】
つまり、従来技術で決定されたＭＵ  ＣＱＩは、いずれも相応の問題が存在し、さらに、マルチユーザＭＩＭＯスケジューリングの正確性に影響する。【０００８】
本発明では、移動通信システムにおけるマルチユーザチャネル品質の決定方法、ユーザ端末および基地局が提供されている。これにより、マルチユーザＭＩＭＯスケジューリングの正確性をよりよく向上させる。
【課題を解決するための手段】
【０００９】
具体的に、本発明では、移動通信システムにおけるマルチユーザチャネル品質（ＭＵ  ＣＱＩ）の決定方法が提供されている。【００１０】
該方法は、各ユーザ端末が、該ユーザ端末を管轄する基地局から通知された第１フィードバックテンプレート、または自局で設定された第２フィードバックテンプレートに基づいて、ＭＵ  ＣＱＩを算出し、算出されたＭＵ  ＣＱＩを前記基地局にフィードバックする、ことを含み、ここで、前記第１フィードバックテンプレートまたは第２フィードバックテンプレートでは、複数の仮定干渉数ｋでのＭＵ  ＣＱＩの間のフィードバック割合が定義され、ｋは、０より大きくかつ該基地局のスケジューリング可能な最大ユーザ数より小さい整数である。【００１１】
前記各ユーザ端末が、該ユーザ端末を管轄する基地局から通知された第１フィードバックテンプレート、または自局で設定された第２フィードバックテンプレートに基づいて、ＭＵ  ＣＱＩを算出し、算出されたＭＵ  ＣＱＩを前記基地局にフィードバックすることは、前記ユーザ端末が、前記第１フィードバックテンプレートまたは第２フィードバックテンプレートで定義された各仮定干渉数ｋでのＭＵ  ＣＱＩを算出し、前記フィードバック割合に基づいて、時間および／または周波数において、算出されたＭＵ  ＣＱＩを前記基地局に送信する、ことを含む。【００１２】
前記フィードバック割合に基づいて、時間および／または周波数において、算出されたＭＵ  ＣＱＩを送信することは、Ｐ個の時間領域フィードバックサブフレームを１つの時間周期とし、前記フィードバック割合に基づいて、各仮定干渉数ｋでのＭＵ  ＣＱＩの占める時間領域フィードバックサブフレームの数を決定し、各時間周期において、相応の数の時間領域フィードバックサブフレームを使用して、該仮定干渉数ｋでのＭＵ  ＣＱＩを送信する、ことを含む。【００１３】
前記フィードバック割合に基づいて、時間および／または周波数において、算出されたＭＵ  ＣＱＩを送信することは、前記移動通信システムの周波数帯域幅をＭ個の周波数領域フィードバックサブバンドに分け、前記フィードバック割合に基づいて、各仮定干渉数ｋでのＭＵ  ＣＱＩの占める周波数領域フィードバックサブバンドの数を決定し、相応の数の周波数領域フィードバックサブバンドを使用して、該仮定干渉数ｋでのＭＵ  ＣＱＩを送信する、ことを含む。【００１４】
前記フィードバック割合に基づいて、時間および／または周波数において、算出されたＭＵ  ＣＱＩを送信することは、前記移動通信システムの周波数帯域幅をＭ個の周波数領域フィードバックサブバンドに分け、かつ、Ｐ個の時間領域フィードバックサブフレームを１つの時間周期とし、前記フィードバック割合に基づいて、各仮定干渉数ｋでのＭＵ  ＣＱＩの占める周波数領域フィードバックサブバンドと時間領域フィードバックサブフレームとのペアの数を決定し、相応の数の周波数領域フィードバックサブバンドと時間領域フィードバックサブフレームとのペアを使用して、該仮定干渉数ｋでのＭＵ  ＣＱＩを送信する、ことを含む。【００１５】
該方法は、前記ユーザ端末が、自局で設定された第２フィードバックテンプレートに基づいて、ＭＵ  ＣＱＩを算出し、算出されたＭＵ  ＣＱＩを該基地局にフィードバックし、前記基地局が、１つまたは複数のユーザ端末からフィードバックされたＭＵ  ＣＱＩに基づいて、マルチユーザマルチ入力マルチ出力スケジューリングを行って、各ユーザ端末に対して第１フィードバックテンプレートを選択する、ことをさらに含む。【００１６】
前記基地局で管轄される複数のユーザ端末は、同じの第２フィードバックテンプレートを使用する。【００１７】
該方法は、各ユーザ端末が、ＭＵ  ＣＱＩをフィードバックする際の自局の現在の信号対干渉雑音比に基づいて、前記第２フィードバックテンプレートを選択し、信号対干渉雑音比が第１閾値より高い場合、選択された第２フィードバックテンプレートにおいて、仮定干渉数ｋが比較的大きいＭＵ  ＣＱＩのフィードバック割合が比較的大きく、信号対干渉雑音比が第１閾値より低い場合、選択された第２フィードバックテンプレートにおいて、仮定干渉数ｋが比較的小さいＭＵ  ＣＱＩのフィードバック割合が比較的大きい、ことをさらに含む。【００１８】
前記各ユーザ端末に対して第１フィードバックテンプレートを選択することは、前記基地局が、予め設定された履歴時間窓で該ユーザ端末と同時にスケジューリングされたほかのユーザの数ｉを決定するとともに、各同時にスケジューリングされたほかのユーザの数ｉの該履歴時間窓での出現確率を決定し、前記出現確率に基づいて、前記第１フィードバックテンプレートを決定する、ことを含む。【００１９】
前記各同時にスケジューリングされたほかのユーザの数ｉの該履歴時間窓での出現確率を決定することは、該履歴時間窓内の各同時にスケジューリングされたほかのユーザの数ｉの出現回数を累計することで、該同時にスケジューリングされたほかのユーザの数ｉの前記履歴時間窓での出現確率を決定し、あるいは、数式
【数１】
2012144621.tif 000003
に基づいて、時間領域スケジューリングサブフレームｎにおける、同時にスケジューリングされたほかのユーザの数ｉの重み付け割合
2012144621.tif 000004
を決定することで、該同時にスケジューリングされたほかのユーザの数ｉの前記履歴時間窓での出現確率を決定し、ここで、
2012144621.tif 000005
は、時間領域スケジューリングサブフレームｎ、周波数領域スケジューリングサブバンドｍにおけるスケジューリング結果であり、
2012144621.tif 000006
は、時間領域スケジューリングサブフレームｎにおけるスケジューリング結果の重み付け係数である、ことを含む。【００２０】
ここで、前記
2012144621.tif 000007
である。【００２１】
前記基地局が、１つまたは複数のユーザ端末からフィードバックされたＭＵ  ＣＱＩに基づいて、マルチユーザマルチ入力マルチ出力スケジューリングを行うことは、基地局が、前記１つまたは複数のユーザ端末からフィードバックされたＭＵ  ＣＱＩに対して、時間周波数補間を行って、各時間領域スケジューリングサブフレーム、各周波数領域スケジューリングサブバンドにおける各仮定干渉数ｋでのＭＵ  ＣＱＩを獲得して、マルチユーザマルチ入力マルチ出力スケジューリングに用いる、ことを含む。【００２２】
前記各ユーザ端末に対して第１フィードバックテンプレートを選択することは、前記基地局が、スケジューリング可能な最大ユーザ数と、各ユーザ端末の信号対干渉雑音比および／またはチャネルの空間特性とに基づいて、相応のユーザ端末の第１フィードバックテンプレートを選択する、ことを含む。【００２３】
該方法は、前記ユーザ端末および／または基地局において、１つまたは複数のフィードバックテンプレートが含まれる集合を予め設定し、ここで、前記各フィードバックテンプレートそれぞれでは、複数の仮定干渉数ｋでのＭＵ  ＣＱＩの間の１種類のフィードバック割合が定義され、ｋは、０より大きくかつ基地局のスケジューリング可能な最大ユーザ数より小さい整数であり、前記ユーザ端末および／または基地局が、前記フィードバックテンプレートの集合の中から、前記第１フィードバックテンプレートまたは第２フィードバックテンプレートを選択する、ことをさらに含む。【００２４】
前記各フィードバックテンプレートそれぞれでは、さらに、シングルユーザチャネル品質（ＳＵ  ＣＱＩ）と複数の仮定干渉数ｋでのＭＵ  ＣＱＩとの間の１種類のフィードバック割合が定義される。【００２５】
前記各フィードバックテンプレートそれぞれでは、さらに、複数の仮定干渉数ｋでのＭＵ  ＣＱＩの時間領域フィードバックサブフレームおよび／または周波数領域フィードバックサブバンドにおける１種類のフィードバック順序が定義される。【００２６】
また、本発明では、ユーザ端末が提供されている。【００２７】
該ユーザ端末は、１つまたは複数のフィードバックテンプレートが含まれる集合を記憶し、ここで、前記各フィードバックテンプレートそれぞれでは、複数の仮定干渉数ｋでのマルチユーザチャネル品質（ＭＵ  ＣＱＩ）の間の１種類のフィードバック割合が定義され、ｋは、０より大きくかつ該ユーザ端末を管轄する基地局のスケジューリング可能な最大ユーザ数より小さい整数である記憶モジュールと、前記フィードバックテンプレートの集合の中から、１つのフィードバックテンプレートを選択し、選択されたフィードバックテンプレートに基づいて、ＭＵ  ＣＱＩを算出し、算出されたＭＵ  ＣＱＩをフィードバックするＭＵ  ＣＱＩ決定モジュールと、を含む。【００２８】
前記ＭＵ  ＣＱＩ決定モジュールは、選択されたフィードバックテンプレートで定義された各仮定干渉数ｋでのＭＵ  ＣＱＩを算出し、前記フィードバック割合に基づいて、時間および／または周波数において、算出されたＭＵ  ＣＱＩを、該ユーザ端末を管轄する基地局に送信する。【００２９】
前記ＭＵ  ＣＱＩ決定モジュールは、Ｐ個の時間領域フィードバックサブフレームを１つの時間周期とし、前記フィードバック割合に基づいて、各仮定干渉数ｋでのＭＵ  ＣＱＩの占める時間領域フィードバックサブフレームの数を決定し、各時間周期において、相応の数の時間領域フィードバックサブフレームを使用して、該仮定干渉数ｋでのＭＵ  ＣＱＩを送信する。【００３０】
前記ＭＵ  ＣＱＩ決定モジュールは、移動通信システムの周波数帯域幅をＭ個の周波数領域フィードバックサブバンドに分け、前記フィードバック割合に基づいて、各仮定干渉数ｋでのＭＵ  ＣＱＩの占める周波数領域フィードバックサブバンドの数を決定し、相応の数の周波数領域フィードバックサブバンドを使用して、該仮定干渉数ｋでのＭＵ  ＣＱＩを送信する。【００３１】
前記ＭＵ  ＣＱＩ決定モジュールは、移動通信システムの周波数帯域幅をＭ個の周波数領域フィードバックサブバンドに分け、かつ、Ｐ個の時間領域フィードバックサブフレームを１つの時間周期とし、前記フィードバック割合に基づいて、各仮定干渉数ｋでのＭＵ  ＣＱＩの占める周波数領域フィードバックサブバンドと時間領域フィードバックサブフレームとのペアの数を決定し、相応の数の周波数領域フィードバックサブバンドと時間領域フィードバックサブフレームとのペアを使用して、該仮定干渉数ｋでのＭＵ  ＣＱＩを送信する。【００３２】
前記各フィードバックテンプレートそれぞれでは、さらに、複数の仮定干渉数ｋでのＭＵ  ＣＱＩの時間領域フィードバックサブフレームおよび／または周波数領域フィードバックサブバンドにおける１種類のフィードバック順序が定義される。【００３３】
前記ＭＵ  ＣＱＩ決定モジュールは、該ユーザ端末の信号対干渉雑音比または前記基地局の通知に基づいて、前記フィードバックテンプレートの集合の中から、１つのフィードバックテンプレートを選択し、選択されたフィードバックテンプレートに基づいて、ＭＵ  ＣＱＩを算出する。【００３４】
また、本発明では、基地局が提供されている。【００３５】
該基地局は、１つまたは複数のフィードバックテンプレートが含まれる集合を記憶し、ここで、前記各フィードバックテンプレートそれぞれでは、複数の仮定干渉数ｋでのマルチユーザチャネル品質（ＭＵ  ＣＱＩ）の間の１種類のフィードバック割合が定義され、ｋは、０より大きくかつ該基地局のスケジューリング可能な最大ユーザ数より小さい整数である記憶モジュールと、前記フィードバックテンプレートの集合の中から、管轄される１つまたは複数のユーザ端末の第１フィードバックテンプレートを選択して、相応のユーザ端末に通知するフィードバックテンプレート決定モジュールと、を含む。【００３６】
前記フィードバックテンプレート決定モジュールは、前記１つまたは複数のユーザ端末からフィードバックされたＭＵ  ＣＱＩに基づいて、マルチユーザマルチ入力マルチ出力スケジューリングを行って、実際のスケジューリング結果に基づいて、各ユーザ端末の第１フィードバックテンプレートを選択する。【００３７】
前記フィードバックテンプレート決定モジュールは、予め設定された履歴時間窓で各ユーザ端末と同時にスケジューリングされたほかのユーザの数ｉを決定するとともに、各ユーザ数ｉの該履歴時間窓での出現確率を決定し、前記出現確率に基づいて、前記第１フィードバックテンプレートを決定する。【００３８】
前記フィードバックテンプレート決定モジュールは、スケジューリング可能な最大ユーザ数と、各ユーザ端末の信号対干渉雑音比および／またはチャネルの空間特性とに基づいて、相応のユーザ端末の第１フィードバックテンプレートを選択する。【００３９】
前記各フィードバックテンプレートそれぞれでは、さらに、複数の仮定干渉数ｋでのＭＵ  ＣＱＩの時間領域フィードバックサブフレームおよび／または周波数領域フィードバックサブバンドにおける１種類のフィードバック順序が定義される。
【図面の簡単な説明】
【００４０】
【図１】本発明の１つの実施例におけるＭＵ  ＣＱＩの決定方法のフローチャートである。
【図２】本発明のほかの実施例におけるＭＵ  ＣＱＩの決定方法のフローチャートである。
【図３】本発明の１つの実施例におけるフィードバックテンプレートの時間領域フィードバックサブフレームでの応用を示す図である。
【図４】本発明のほかの実施例におけるフィードバックテンプレートの周波数領域フィードバックサブバンドでの応用を示す図である。
【図５】本発明の別の実施例におけるフィードバックテンプレートの時間領域フィードバックサブフレームおよび周波数領域フィードバックサブバンドでの２次元の応用を示す図である。
【図６】本発明の１つの実施例におけるマルチユーザスケジューリング時の異なるユーザ数の出現確率を示す図である。
【発明を実施するための形態】
【００４１】
本発明の目的、解決手段およびメリットをさらに明確にするために、以下、図面を参照して実施例を挙げながら、本発明をさらに詳しく説明する。
【００４２】
本発明の実施例では、ＭＵ  ＣＱＩの決定方法が提供されている。フィードバックオーバヘッドを減少させるために、ＵＥは、上りの時間領域フィードバックサブフレームおよび／または周波数領域フィードバックサブバンドにおいて、多重方式で各種のＭＵ  ＣＱＩをフィードバックする。例えば、ポーリング多重フィードバックや重み付けポーリング多重フィードバックなどを採用する。
【００４３】
具体的に、重み付けポーリング多重フィードバック方式では、１つのＵＥの各仮定干渉数でのＭＵ  ＣＱＩのフィードバック割合と、１つの履歴時間窓内で該ＵＥに対して統計された、同時にスケジューリングされたほかのユーザの数の出現確率とが一致または近似一致している。ここで、該ＵＥと同時にスケジューリングされたほかのユーザの数は、即ち該ＵＥに対する干渉数である。
【００４４】
システムを実現する際に、１つまたは複数のフィードバックテンプレートが含まれる集合を予め設定し、各フィードバックテンプレートによって、異なる仮定干渉数でのＭＵ  ＣＱＩのフィードバック割合を定義してもよい。勿論、ｅＮＢが各種のＭＵ  ＣＱＩの確率をＵＥに指示してから、ｅＮＢとＵＥとがそれぞれ、予め設定された規則に基づいて、相応のフィードバックテンプレートを作成してもよい。説明すべきものとして、各フィードバックテンプレートは、時間領域フィードバックサブフレーム、周波数領域フィードバックサブバンドまたは時間周波数の２次元領域に応用できる。
【００４５】
図１は、本発明の１つの実施例におけるＭＵ  ＣＱＩの決定方法のフローチャートであり、下記のステップを含む。
【００４６】
ステップ１０１で、通信初期時、各ＵＥは、自局で設定された第２フィードバックテンプレートに基づいて、各周波数領域フィードバックサブバンドにおけるＭＵ  ＣＱＩを算出してフィードバックする。
【００４７】
ここで、システムでは、１つまたは複数のフィードバックテンプレートを予め定義し、かつその中から１つを選択して第２フィードバックテンプレートとすることができる。表１には、３つのフィードバックテンプレートが例示的に定義されている。これらのフィードバックテンプレートは、重み付けポーリング多重フィードバック方式に基づいて作成されるものである。ここで、ＭＵ  ＣＱＩ算出時に考慮された干渉の層数は、１、２、３層の干渉を含み、仮定干渉数がそれぞれ１、２、３である場合に推定されたＭＵ  ＣＱＩは、それぞれｒ１、ｒ２、ｒ３である。さらに、定義されたフィードバックテンプレートを、基地局および／またはユーザ端末に予め記憶し、かつ、各フィードバックテンプレートそれぞれに対して、１つのフィードバックテンプレートインデックスを設定する。勿論、フィードバックテンプレートを予め定義する時、マルチユーザ干渉が考慮されないＳＵ  ＣＱＩ（ｒ０にする）と、各種のＭＵ  ＣＱＩとともに、複数種類のＣＱＩを構成させて、割合によって、１つまたは複数のフィードバックテンプレートを設計するようにしてもよい。
【００４８】
【表１】
2012144621.tif 000008
【００４９】
本発明の１つの具体的な実現において、フィードバックテンプレート１を選択して第２フィードバックテンプレートとすることができる。さらに、図３、図４および図５は、フィードバックテンプレート１が、それぞれ時間領域フィードバックサブフレーム、周波数領域フィードバックサブバンドまたは時間周波数の２次元領域に応用されることを示す。例えば、図５に示すように、あるユーザ端末は、時刻ｔ１において、周波数領域フィードバックサブバンドｆ１で、ｒ２を基地局にフィードバックする。ここから分かるように、時間周波数の２次元領域に応用されるフィードバックテンプレートの有する各種のＭＵ  ＣＱＩの時間周波数ダイバーシティ情報がより豊かである。干渉数が決定された場合、ＭＵ  ＣＱＩの推定方法は、従来技術と同じであり、ここで説明を省略する。例えば、ｒ１、ｒ２、ｒ３の算出方法は、いずれも従来技術を参照することができる。
【００５０】
説明すべきものとして、第２フィードバックテンプレートの選択方法は、複数ある。例えば、
（１）経験値に基づいて、大多数のＵＥに適合するデフォルトフィードバックテンプレートを選択して、第２フィードバックテンプレートとする。全てのＵＥは、いずれも初期時に該デフォルトフィードバックテンプレートを使用する。
【００５１】
図６は、本発明の１つの実施例において、９個のＵＥがそれぞれスケジューリングされた場合の、異なるユーザ数の出現確率を示す図である。ここで、各ＵＥのアンテナは、垂直均等に配列されたアンテナ配列に配置され、４つの送信アンテナと２つの受信アンテナとを含み、アンテナ間隔が０．５波長である。ＵＥ１がスケジューリングされた時、同時にスケジューリングされたほかのユーザの数がそれぞれ０〜３であり、即ち、ＵＥ１にとって、マルチユーザ干渉数がそれぞれ１〜３であり、ここで、マルチユーザ干渉数が１である場合の占める割合が最大である。このスケジューリングの統計結果から分かるように、フィードバックテンプレート０を選択したのは、ＵＥ１、ＵＥ４、ＵＥ５、ＵＥ７およびＵＥ９の合計５個のＵＥがあり、フィードバックテンプレート１を選択したのは、ＵＥ２、ＵＥ３、ＵＥ６およびＵＥ８の合計４個のＵＥがある。従って、フィードバックテンプレート０を選択して、該システムのデフォルトフィードバックテンプレートとすることができる。具体的に実現する際に、異なるシステム環境とアンテナ配置とに対して、選択されたデフォルトフィードバックテンプレートは、異なる可能性がある。
【００５２】
（２）ＵＥ特性に基づいて、各ＵＥに対して相応の第２フィードバックテンプレートを設定する。一般的な経験によると、ＭＵ−ＭＩＭＯは、通常、信号対干渉雑音比が高いＵＥに応用されるが、ＳＵ−ＭＩＭＯは、信号対干渉雑音比が低いＵＥにより適合する。このようにして、信号対干渉雑音比が高いＵＥは、フィードバックテンプレート２を選択して第２フィードバックテンプレートとすることができるが、信号対干渉雑音比が低いＵＥは、フィードバックテンプレート０を選択して第２フィードバックテンプレートとすることができる。この場合で、ｅＮＢおよび／またはＵＥは、該ＵＥの信号対干渉雑音比の状況を知るべきである。例えば、ｅＮＢは、ＵＥから報告された基準信号受信電力（ＲＳＲＰ）、基準信号受信品質（ＲＳＲＱ）、またはＵＥの信号対干渉雑音比を反映する他の情報から、相応の状況を知ることができる。具体的に、システムでは、ＵＥの信号対干渉雑音比を反映するこれらの情報に対して、第２フィードバックテンプレートを選択するための第１閾値を設定してもよい。信号対干渉雑音比が第１閾値より高い場合、選択された第２フィードバックテンプレートにおいて、仮定干渉数ｋが比較的大きいＭＵ  ＣＱＩのフィードバック割合が比較的大きい。例えば、この場合、仮定干渉数３でのフィードバック割合は６０％であり、仮定干渉数１および／または２のフィードバック割合より大きい。信号対干渉雑音比が第１閾値より低い場合、選択された第２フィードバックテンプレートにおいて、仮定干渉数ｋが比較的小さいＭＵ  ＣＱＩのフィードバック割合が比較的大きい。勿論、信号対干渉雑音比の区間と第２フィードバックテンプレートとの対応関係を予め設定してもよい。ｅＮＢおよびＵＥは、共に該対応関係を知る。あるＵＥの実際の信号対干渉雑音比が、ある区間に入る場合、該区間に対応する第２フィードバックテンプレートを使用して、ＭＵ  ＣＱＩをフィードバックする。
【００５３】
ステップ１０２で、ＵＥからフィードバックされたＭＵ  ＣＱＩに基づいて、ｅＮＢは、時間周波数補間または他の方法によって、各時間領域スケジューリングサブフレーム、各周波数領域スケジューリングサブバンドにおける各仮定干渉数でのＭＵ  ＣＱＩを獲得し、これらのＭＵ  ＣＱＩを利用して、マルチユーザスケジューリングを完成する。
【００５４】
ステップ１０３で、ｅＮＢは、予め設定された履歴時間窓内での各ＵＥのスケジューリング結果を統計して、各ＵＥと同時にスケジューリングされたほかのユーザの数の出現確率を獲得し、該出現確率に最も整合または接近する第１フィードバックテンプレートを選択し、相応のフィードバックテンプレートインデックスを、下りシグナリングを介して該ＵＥに通知する。
【００５５】
該ステップにおいて、ｅＮＢが各ＵＥのスケジューリング結果を統計する方法は、複数ある。例えば、
（１）あるＵＥに対して、ｅＮＢは、履歴時間窓内での、該ＵＥと同時にスケジューリングされたほかのユーザの数ｉの出現回数
2012144621.tif 000009
（ｉ＝１，２，３）を直接に累計することで、各同時にスケジューリングされたほかのユーザの数ｉの割合
2012144621.tif 000010
を得る。
【００５６】
（２）スケジューリング結果が現在時刻に近ければ近いほど、該同時にスケジューリングされたほかのユーザの数の出現確率を統計する際に、該スケジューリング結果に付与された比重が高くなる。スライド窓が採用される場合、あるＵＥの重み付け割合の算出式は、
【数２】
2012144621.tif 000011
である。
【００５７】
ここで、
2012144621.tif 000012
は、下りの時間領域スケジューリングサブフレームｎの全ての周波数領域スケジューリングサブバンドにおいて、該ＵＥと同時にスケジューリングされたｉ個のほかのＵＥの重み付け割合（ｉ＝１，２，３）であり、
2012144621.tif 000013
は、時間領域スケジューリングサブフレームｎ、周波数領域スケジューリングサブバンドｍのスケジューリング結果であり、
2012144621.tif 000014
は、時間領域スケジューリングサブフレームｎのスケジューリング結果の重み付け係数であり、最も近いスケジューリング結果が重み付け割合に占める比重を反映するためのものである。相応的に、各同時にスケジューリングされたほかのユーザの数の割合は、
2012144621.tif 000015
である。
【００５８】
本発明の１つの具体的な実現において、
2012144621.tif 000016
である。
【００５９】
このようにして、出現確率が最大となる、同時にスケジューリングされたほかのユーザの数を探し出すだけで、表１で定義されたフィードバックテンプレートの集合の中から、対応するフィードバックテンプレートを選択することができる。該フィードバックテンプレートにおける対応する仮定干渉数の有するフィードバック割合が最大である。
【００６０】
勿論、ステップ１０３において、ｅＮＢは、スケジューリング可能な最大ユーザ数と、各ユーザ端末の信号対干渉雑音比（ＳＩＮＲ）および／またはチャネルの空間特性とに基づいて、相応のユーザ端末の第１フィードバックテンプレートを選択して、シグナリングを介して相応のユーザ端末に通知するようにしてもよい。例示的に、チャネルの空間特性は、チャネルの相関性、到着角、発射角などのパラメータであってよい。例えば、ＳＩＮＲが第２閾値より高くかつスケジューリング可能な最大ユーザ数が比較的多い場合、選択された第１フィードバックテンプレートにおいて、仮定干渉数ｋが比較的大きいＭＵ  ＣＱＩのフィードバック割合が比較的大きい。ＳＩＮＲが第２閾値より低くまたはスケジューリング可能な最大ユーザ数が比較的少ない場合、選択された第１フィードバックテンプレートにおいて、仮定干渉数ｋが比較的小さいＭＵ  ＣＱＩのフィードバック割合が比較的大きい。
【００６１】
ステップ１０４で、ＵＥは、ｅＮＢで決定された指示フィードバックテンプレートに基づいて、各周波数領域フィードバックサブバンドにおけるＭＵ  ＣＱＩを算出してフィードバックする。
【００６２】
具体的に、ＵＥは、フィードバックテンプレートインデックスを受けた後に、自局で記憶されたフィードバックテンプレートの集合を検索し、選択された指示フィードバックテンプレートに基づいて、時間領域フィードバックサブフレーム、周波数領域フィードバックサブバンドまたは時間周波数の２次元領域において、各仮定干渉数でのＭＵ  ＣＱＩをフィードバックする。
【００６３】
ここから分かるように、複数の仮定干渉数でのＭＵ  ＣＱＩをフィードバックすることで、より正確なＭＵ  ＣＱＩ情報をｅＮＢに提供することができる。これにより、マルチユーザスケジューリングの正確性を増加させ、システムの性能を向上させる。
【００６４】
上記図１に示したフローにおいて、ステップ１０１および１０２では、第２フィードバックテンプレートを採用して、ＭＵ  ＣＱＩを算出してフィードバックする初期化過程が選択可能である。例えば、ｅＮＢが、ＵＥから従来技術でフィードバックされたＭＵ  ＣＱＩまたはＳＵ  ＣＱＩを利用して、マルチユーザスケジューリングを行ってから、実際のスケジューリング結果に基づいて、フィードバックテンプレートをＵＥに指示し、ＵＥが、指示されたフィードバックテンプレートを利用して、ＭＵ  ＣＱＩを再びフィードバックするようにしてもよい。説明すべきものとして、基地局と、該基地局によって管轄されるＵＥとの間は、複数回のやりとりの過程が存在している。毎回のやりとりは、データ伝送、スケジューリングおよびＭＵ  ＣＱＩフィードバックなどの動作を含んでもよい。ＵＥは、基地局からの新しいフィードバックテンプレートシグナリング指示を受信する前に、ずっと直前に指示された第１フィードバックテンプレート、または自局で設定された第２フィードバックテンプレートに基づいて、ＭＵ  ＣＱＩをフィードバックする。
【００６５】
図２に示した本発明のほかの実施例において、ＵＥは、終始第２フィードバックテンプレートに基づいて、ＭＵ  ＣＱＩを算出してフィードバックする。例えば、自局のＳＩＮＲに基づいて、第２フィードバックテンプレートを選択して、選択された第２フィードバックテンプレートに基づいて、ＭＵ  ＣＱＩをフィードバックすることなどである。該フローは、ステップ１０１およびステップ１０２の処理に類似している。このようにして、ｅＮＢは、シグナリングを介して、フィードバックテンプレートをＵＥへ通知する必要がない。これにより、シグナリングオーバヘッドを節約する。
【００６６】
ステップ２０１で、各ＵＥは、自局で設定された第２フィードバックテンプレートに基づいて、ＭＵ  ＣＱＩを算出してフィードバックする。具体的に、毎回ＭＵ  ＣＱＩをフィードバックする際に、ユーザ端末は、自局の現在の信号対干渉雑音比と第１閾値とを比較する。信号対干渉雑音比が第１閾値より高い場合、選択された第２フィードバックテンプレートにおいて、仮定干渉数ｋが比較的大きいＭＵ  ＣＱＩのフィードバック割合が比較的大きい。信号対干渉雑音比が第１閾値より低い場合、選択された第２フィードバックテンプレートにおいて、仮定干渉数ｋが比較的小さいＭＵ  ＣＱＩのフィードバック割合が比較的大きい。ここで、前記第２フィードバックテンプレートでは、複数の仮定干渉数ｋでのＭＵ  ＣＱＩの間のフィードバック割合が定義される。ｋは、０より大きくかつ該基地局のスケジューリング可能な最大ユーザ数より小さい整数である。
【００６７】
ステップ２０２で、ＵＥからフィードバックされたＭＵ  ＣＱＩに基づいて、ｅＮＢは、時間周波数補間または他の方法にって、各時間領域スケジューリングサブフレーム、各周波数領域スケジューリングサブバンドにおける各仮定干渉数ｋでのＭＵ  ＣＱＩを獲得し、これらのＭＵ  ＣＱＩを利用して、マルチユーザスケジューリングを完成する。このようにして、ＵＥと基地局との１回のやりとりが完成される。勿論、ＵＥと基地局との間で、複数回のやりとりを行うこともでき、ここで説明を省略する。
【００６８】
本発明のほかの実施例において、ＵＥは、基地局からのフィードバックテンプレートに関するシグナリング通知を受けたかどうかを判断し、該シグナリング通知を受けた場合、基地局から通知された第１フィードバックテンプレートを採用して、ＭＵ  ＣＱＩを算出してフィードバックし、該シグナリング通知を受けていない場合、自局で設定された第２フィードバックテンプレートを採用して、ＭＵ  ＣＱＩを算出してフィードバックする。
【００６９】
さらに、本発明では、ユーザ端末も提供されている。
【００７０】
該ユーザ端末は、１つまたは複数のフィードバックテンプレートが含まれる集合を記憶し、ここで、前記各フィードバックテンプレートそれぞれでは、複数の仮定干渉数ｋでのマルチユーザチャネル品質（ＭＵ  ＣＱＩ）の間の１種類のフィードバック割合が定義され、ｋは、０より大きくかつ基地局のスケジューリング可能な最大ユーザ数より小さい整数である記憶モジュールと、前記フィードバックテンプレートの集合の中から、第１フィードバックテンプレートを選択し、前記第１フィードバックテンプレートに基づいて、ＭＵ  ＣＱＩを算出し、算出されたＭＵ  ＣＱＩをフィードバックするＭＵ  ＣＱＩ決定モジュールと、を含む。
【００７１】
ここで、前記ＭＵ  ＣＱＩ決定モジュールは、前記第１フィードバックテンプレートで定義された各仮定干渉数ｋでのＭＵ  ＣＱＩを算出し、前記フィードバック割合に基づいて、時間および／または周波数において、算出されたＭＵ  ＣＱＩを、該ユーザ端末を管轄する基地局に送信する。
【００７２】
具体的に、前記ＭＵ  ＣＱＩ決定モジュールは、Ｐ個の時間領域フィードバックサブフレームを１つの時間周期とし、前記フィードバック割合に基づいて、各仮定干渉数ｋでのＭＵ  ＣＱＩの占める時間領域フィードバックサブフレームの数を決定し、各時間周期において、相応の数の時間領域フィードバックサブフレームを使用して、該仮定干渉数ｋでのＭＵ  ＣＱＩを送信する。
【００７３】
具体的に、前記ＭＵ  ＣＱＩ決定モジュールは、移動通信システムの周波数帯域幅をＭ個の周波数領域フィードバックサブバンドに分け、前記フィードバック割合に基づいて、各仮定干渉数ｋでのＭＵ  ＣＱＩの占める周波数領域フィードバックサブバンドの数を決定し、相応の数の周波数領域フィードバックサブバンドを使用して、該仮定干渉数ｋでのＭＵ  ＣＱＩを送信する。
【００７４】
具体的に、前記ＭＵ  ＣＱＩ決定モジュールは、移動通信システムの周波数帯域幅をＭ個の周波数領域フィードバックサブバンドに分け、かつ、Ｐ個の時間領域フィードバックサブフレームを１つの時間周期とし、前記フィードバック割合に基づいて、各仮定干渉数ｋでのＭＵ  ＣＱＩの占める周波数領域フィードバックサブバンドと時間領域フィードバックサブフレームとのペアの数を決定し、相応の数の周波数領域フィードバックサブバンドと時間領域フィードバックサブフレームとのペアを使用して、該仮定干渉数ｋでのＭＵ  ＣＱＩを送信する。
【００７５】
好ましくは、前記各フィードバックテンプレートそれぞれでは、さらに、複数の仮定干渉数ｋでのＭＵ  ＣＱＩの時間領域フィードバックサブフレームおよび／または周波数領域フィードバックサブバンドにおける１種類のフィードバック順序が定義される。
【００７６】
さらに、前記ＭＵ  ＣＱＩ決定モジュールは、自局の設定または前記基地局の通知に基づいて、前記フィードバックテンプレートの集合の中から、１つのフィードバックテンプレートを選択し、選択されたフィードバックテンプレートに基づいて、ＭＵ  ＣＱＩを算出する。
【００７７】
説明すべきものとして、自局の設定である場合も、基地局の通知である場合も、基地局は、ユーザ端末で採用されたのがどのようなフィードバックテンプレートであるかを分かることができる。これにより、基地局は、ユーザ端末のＭＵ  ＣＱＩフィードバックから、各仮定干渉数ｋでのＭＵ  ＣＱＩを正確に抽出できる、ということが確保される。
【００７８】
さらに、本発明では、基地局も提供されている。
【００７９】
該基地局は、１つまたは複数のフィードバックテンプレートが含まれる集合を記憶し、ここで、前記各フィードバックテンプレートそれぞれでは、複数の仮定干渉数ｋでのマルチユーザチャネル品質（ＭＵ  ＣＱＩ）の間の１種類のフィードバック割合が定義され、ｋは、０より大きくかつ基地局のスケジューリング可能な最大ユーザ数より小さい整数である記憶モジュールと、各ユーザ端末の実際のスケジューリング結果に基づいて、前記フィードバックテンプレートの集合の中から、該ユーザ端末の第１フィードバックテンプレートを選択して、相応のユーザ端末に通知するフィードバックテンプレート決定モジュールと、を含む。
【００８０】
勿論、前記各フィードバックテンプレートそれぞれでは、さらに、複数の仮定干渉数ｋでのＭＵ  ＣＱＩの時間領域フィードバックサブフレームおよび／または周波数領域フィードバックサブバンドにおける１種類のフィードバック順序が定義される。
【００８１】
ここで、前記フィードバックテンプレート決定モジュールは、予め設定された履歴時間窓で各ユーザ端末と同時にスケジューリングされたほかのユーザの数ｉを決定するとともに、各ユーザ数ｉの該履歴時間窓での出現確率を決定し、前記出現確率に基づいて、前記第１フィードバックテンプレートを決定する。
【００８２】
さらに、前記フィードバックテンプレート決定モジュールは、スケジューリング可能な最大ユーザ数と、各ユーザ端末の信号対干渉雑音比および／またはチャネルの空間特性とに基づいて、相応のユーザ端末の第１フィードバックテンプレートを選択する。
【００８３】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【００８４】
本出願は、２０１１年４月２２日出願の２０１１１０１１１６６５．６に基づく。この内容は、全てここに含めておく。
【図１】
2012144621.tif 000022
【図２】
2012144621.tif 000023
【図３】
2012144621.tif 000024
【図４】
2012144621.tif 000025
【図５】
2012144621.tif 000026
【図６】
2012144621.tif 000027
【国際調査報告】
2012144621.tif 000028
2012144621.tif 000029
2012144621.tif 000030